(57)【要約】【課題】２つのガイド部によるロール紙の位置決めを、簡単な操作で容易に実現できる印刷装置を提供する。【解決手段】印刷装置は、ロールの収容部２４を覆うカバー３、ロールの両側を支持する支持部４１、カバー３が閉塞した状態で支持部４１の移動を規制しカバー３が開放した状態で支持部４１の移動を規制しないロック部材、退避位置と係止位置とに移動可能な係止部８、係止部８を退避位置から係止位置に向けて付勢する第２付勢部８４を備える。カバー３が開放状態の時、係止部８は、退避位置と係止位置とに亘って移動可能となり、係止部８が第２付勢部８４の付勢力に応じて係止位置に位置した時、支持部４１の近接側への移動は係止部８により規制される。カバー３が閉塞状態の時、係止部８にカバー３が当接することに応じ、係止部８は退避位置に位置する。支持部４１の近接側への移動は、係止部８によって規制されない。【選択図】図９
2019026416.tif 000002
【特許請求の範囲】
【請求項１】
印刷媒体に印刷を行う印刷装置であって、
前記印刷媒体が巻回されたロールを収容し、前記ロールの幅方向と交差する交差方向の一方側が開口する収容部を有する本体部と、
前記収容部の開口を開閉可能に覆うカバーと、
前記収容部に設けられ、前記ロールのうち前記幅方向の両側を支持する一対の支持部であって、少なくとも一方が前記幅方向に移動可能な一対の支持部と、
前記カバーが閉塞した状態で、前記一対の支持部のうち移動可能な移動支持部の移動を規制し、前記カバーが開放した状態で前記移動支持部の移動を規制しないロック部材と、
前記移動支持部を、前記幅方向のうち前記一対の支持部が互いに近接する近接側に付勢する第１付勢部と、
前記移動支持部から離隔した退避位置と、前記移動支持部に近接して係止する係止位置とに移動可能に支持された係止部と、
前記係止部を、前記退避位置から前記係止位置に向けて付勢する第２付勢部と
を備え、
前記カバーが開放した状態の時、
前記係止部は、前記退避位置と前記係止位置とに亘って移動可能となり、
前記係止部が前記第２付勢部の付勢力に応じて前記係止位置に位置した時、前記第１付勢部の付勢力に応じた前記移動支持部の前記近接側への移動は、前記係止部により規制され、
前記カバーが閉塞した状態の時、
前記係止部に前記カバーが当接することに応じ、前記係止部は、前記第２付勢部の付勢力に抗して前記退避位置に位置し、
前記第１付勢部の付勢力に応じた前記移動支持部の前記近接側への移動は、前記係止部によって規制されない
ことを特徴とする印刷装置。
【請求項２】
前記カバーが開放した状態から閉塞した状態に移行する時、前記係止部が前記係止位置から前記退避位置に移動して前記移動支持部を前記近接側に移動可能とし、その後、前記ロック部材が前記移動支持部の移動を規制することを特徴とする請求項１に記載の印刷装置。
【請求項３】
前記係止部は、
前記本体部に対して揺動することにより、前記退避位置と前記係止位置とに移動し、
揺動中心を含む基部と、前記基部に対して互いに異なる方向に延びる第１揺動部及び第２揺動部を有し、
前記基部は
前記本体部に設けられ且つ前記幅方向に延びる支持軸に揺動可能に支持され、
前記第１揺動部は、
前記基部と反対側の第１端部のうち前記幅方向の外側部分に、前記幅方向に並設された凸状の複数の爪部を有し、
前記第２揺動部は、
前記基部と反対側の第２端部に、前記カバーが閉塞することによって押圧される押圧部が設けられ、
前記カバーが開放した状態の時、前記係止位置に位置する前記係止部の前記複数の爪部の何れかに、前記移動支持部が当接し、
前記カバーが開放した状態から閉塞した状態に移行する時に前記第２揺動部が押圧されることに応じて、前記係止部は前記係止位置から前記退避位置に移動することを特徴とする請求項１又は２に記載の印刷装置。
【請求項４】
前記複数の爪部は略鋸歯形状を有し、
各爪部は、凸状の頂点から延びる第１延伸部及び第２延伸部を含む略山形状を有し、
前記第１延伸部は、前記頂点から、前記幅方向の前記近接側に対して前記基部側に傾斜して延び、
前記第２延伸部は、前記頂点から前記基部側に向けて、前記幅方向と直交する方向に延びる
ことを特徴とする請求項３に記載の印刷装置。
【請求項５】
前記係止部及び前記第２付勢部は一体的に形成され、
前記第２付勢部は、弾性変形可能な板バネであることを特徴とする請求項１から４の何れかに記載の印刷装置。
【請求項６】
前記係止部は、前記第１揺動部に突起部を有し、
前記突起部は、前記収容部に収容された前記ロールの外周面で押圧されることにより、前記係止部は前記係止位置から前記退避位置に移動することを特徴とする請求項３又は４に記載の印刷装置。
【請求項７】
前記カバーは、前記支持軸に揺動可能に支持され、前記本体部に対して揺動することによって前記収容部の開口が開閉可能であることを特徴とする請求項３、４、６の何れかに記載の印刷装置。
【発明の詳細な説明】
【技術分野】
【０００１】
本発明は、印刷装置に関する。
【背景技術】
【０００２】
印刷媒体が巻回されたロールを内部に保持し、ロールから印刷媒体を繰り出して印刷を行う印刷装置が知られている。特許文献１は、印字部に供給されるロール紙を支持するロール紙支持装置を開示する。ロール紙支持装置は、シャフト部、２つのガイド部、及びガイド規制部を備える。シャフト部は、ロール紙の軸方向に沿って延びる。２つのガイド部は、シャフト部に沿って軸方向に移動し、ロール紙の側面をガイドする。シャフト部に環装されたコイルバネは、２つのガイド部が互いに近づく向きに付勢する。ガイド規制部は、２つのガイド部の移動経路に進入し、２つのガイド部の間隔がロール紙の最大幅よりも大きい状態で保持できる。一方、ガイド規制部は、ロール紙が充填された場合にロール紙の外周面が当接して撓み、２つのガイド部の移動経路から退出する。２つのガイド部は、コイルバネの付勢力によって互いに近づく方向に移動する。これによって、２つのガイド部はロール紙の側面に接触し、ロール紙を位置決めする。
【先行技術文献】
【特許文献】
【０００３】
【特許文献１】特開２００８−２２２３６４号公報
【発明の概要】
【発明が解決しようとする課題】
【０００４】
上記のロール紙支持装置の場合、充填されるロール紙の外径の大きさによっては、充填された時にガイド規制部を撓ませることができない可能性がある。この場合、使用者は、２つのガイド部の移動経路からガイド規制部を退出させるために、ガイド規制部を手動で撓ませなければならない。この場合、ロール紙の充填操作が煩わしいという問題点がある。
【０００５】
本発明の目的は、２つのガイド部によるロール紙の位置決めを、簡単な操作で容易に実現できる印刷装置を提供することである。
【課題を解決するための手段】
【０００６】
本発明に係る印刷装置は、印刷媒体に印刷を行う印刷装置であって、前記印刷媒体が巻回されたロールを収容し、前記ロールの幅方向と交差する交差方向の一方側が開口する収容部を有する本体部と、前記収容部の開口を開閉可能に覆うカバーと、前記収容部に設けられ、前記ロールのうち前記幅方向の両側を支持する一対の支持部であって、少なくとも一方が前記幅方向に移動可能な一対の支持部と、前記カバーが閉塞した状態で、前記一対の支持部のうち移動可能な移動支持部の移動を規制し、前記カバーが開放した状態で前記移動支持部の移動を規制しないロック部材と、前記移動支持部を、前記幅方向のうち前記一対の支持部が互いに近接する近接側に付勢する第１付勢部と、前記移動支持部から離隔した退避位置と、前記移動支持部に近接して係止する係止位置とに移動可能に支持された係止部と、前記係止部を、前記退避位置から前記係止位置に向けて付勢する第２付勢部とを備え、前記カバーが開放した状態の時、前記係止部は、前記退避位置と前記係止位置とに亘って移動可能となり、前記係止部が前記第２付勢部の付勢力に応じて前記係止位置に位置した時、前記第１付勢部の付勢力に応じた前記移動支持部の前記近接側への移動は、前記係止部により規制され、前記カバーが閉塞した状態の時、前記係止部に前記カバーが当接することに応じ、前記係止部は、前記第２付勢部の付勢力に抗して前記退避位置に位置し、前記第１付勢部の付勢力に応じた前記移動支持部の前記近接側への移動は、前記係止部によって規制されないことを特徴とする。
【０００７】
印刷装置の係止部の位置は、カバーの開閉に応じて退避位置と係止位置とに切り替わる。カバーが開放した状態の時、係止部は係止位置に位置し、移動支持部の近接側への移動を規制する。つまり、一対の支持部は、所定の間隔を空けた状態で保持される。このため使用者は、移動支持部が移動しないように保持する操作を要することなく、所定の間隔が空いた状態の一対の支持部にロールを容易に装着できる。一方、カバーが閉塞した状態の時、カバーが係止部に当接することにより、係止部は退避位置に移動する。このとき、移動支持部の移動は係止部によって規制されない。従って、印刷装置は、幅方向の近接側に移動規制部が移動することによって、収容部に収容されたロールを幅方向の両側から挟み確実に保持できる。
【０００８】
本発明において、前記カバーが開放した状態から閉塞した状態に移行する時、前記係止部が前記係止位置から前記退避位置に移動して前記移動支持部を前記近接側に移動可能とし、その後、前記ロック部材が前記移動支持部の移動を規制してもよい。つまり、印刷装置は、カバーが開放した状態から閉塞した状態に移行する過程で、はじめに、係止部が退避位置に移動し、移動支持部の近接側への移動を可能とする。これによって、移動支持部は、第１付勢力の付勢力に応じて近接側に移動する。これにより、一対の支持部は互いに近づき、収容部に収容されたロールの幅方向の両側近傍に配置される。次に、ロック部材が移動支持部の移動を規制する。これにより、ロールの幅方向の両側近傍に配置された一対の支持部は、ロック部材により移動不能に保持される。従って、印刷装置は、ロールの幅方向の両側近傍に一対の支持部を配置させる動作と、この状態で移動支持部の移動を規制する動作とを、使用者によるカバーの閉塞操作に連動して実行できる。
【０００９】
本発明において、前記係止部は、前記本体部に対して揺動することにより、前記退避位置と前記係止位置とに移動し、揺動中心を含む基部と、前記基部に対して互いに異なる方向に延びる第１揺動部及び第２揺動部を有し、前記基部は前記本体部に設けられ且つ前記幅方向に延びる支持軸に揺動可能に支持され、前記第１揺動部は、前記基部と反対側の第１端部のうち前記幅方向の外側部分に、前記幅方向に並設された凸状の複数の爪部を有し、前記第２揺動部は、前記基部と反対側の第２端部に、前記カバーが閉塞することによって押圧される押圧部が設けられ、前記カバーが開放した状態の時、前記係止位置に位置する前記係止部の前記複数の爪部の何れかに、前記移動支持部が当接し、前記カバーが開放した状態から閉塞した状態に移行する時に前記第２揺動部が押圧されることに応じて、前記係止部は前記係止位置から前記退避位置に移動してもよい。カバーが開放して係止部が係止位置に位置する時、係止部は、複数の爪部の何れかに移動支持部を当接させることによって、移動支持部の近接側への移動を規制できる。一方、カバーが開放した状態から閉塞した状態に移行する時、係止部の押圧部は押圧され、係止部は係止位置から退避位置に移動する。この場合、移動支持部は近接側に移動可能となる。このように、印刷装置は、カバーの閉塞操作に連動して、移動支持部を近接側に移動可能な状態とすることができる。
【００１０】
本発明において、前記複数の爪部は略鋸歯形状を有し、各爪部は、凸状の頂点から延びる第１延伸部及び第２延伸部を含む略山形状を有し、前記第１延伸部は、前記頂点から、前記幅方向の前記近接側に対して前記基部側に傾斜して延び、前記第２延伸部は、前記頂点から前記基部側に向けて、前記幅方向と直交する方向に延びてもよい。この場合、使用者は、カバーが開放した状態の時、係止部の第１延伸部に移動支持部を接触させながら、幅方向の近接側と反対側（離隔側）に移動支持部を容易に移動させることができる。一方、係止部は、爪部の第２延伸部に移動支持部を接触させることによって、幅方向の近接側に移動支持部が移動することを適切に規制できる。
【００１１】
本発明において、前記係止部及び前記第２付勢部は一体的に形成され、前記第２付勢部は、弾性変形可能な板バネであってもよい。この場合、第２付勢部の構成を簡単にできるので、係止部の製造コストを抑制できる。
【００１２】
本発明において、前記係止部は、前記第１揺動部に突起部を有し、前記突起部は、前記収容部に収容された前記ロールの外周面で押圧されることにより、前記係止部は前記係止位置から前記退避位置に移動してもよい。この場合、ロールが収容部に収容された状態で、移動支持部は近接側に移動可能となる。このため、印刷装置は、カバーが開放した状態であっても、ロールが収容されることに応じて移動支持部を近接側に移動させ、一対の支持部によってロールを幅方向の両側から挟み保持できる。
【００１３】
本発明において、前記カバーは、前記支持軸に揺動可能に支持され、前記本体部に対して揺動することによって前記収容部の開口が開閉可能であってもよい。この場合、印刷装置は、カバーを揺動可能に支持する支持軸と、係止部を揺動可能に支持する支持軸を共通化できる。従って、印刷装置の構成部品を低減できると共に、組み付け作業を容易化できる。
【図面の簡単な説明】
【００１４】
【図１】カバー３が閉塞した状態の印刷装置１の斜視図である。
【図２】カバー３が開放した状態の印刷装置１の斜視図である。
【図３】収容部２４を示す斜視図である。
【図４】収容部２４を示す平面図である。
【図５】一対の支持部４、ロック部材５、６、及び、調節機構７を示す斜視図である。
【図６】支持部４１、ロック部材５、及び、回転板４３の斜視図である。
【図７】ロック部材５、係止部８等を示す断面図である。
【図８】係止部８の斜視図である。
【図９】（Ａ）は、カバー３が開放した状態の、ロック部材５と係止部８を示す断面図である。（Ｂ）は、係止位置に位置する係合部８を示す要部斜視図である。
【図１０】（Ａ）は、カバー３が閉塞した状態の、ロック部材５と係止部８を示す断面図である。（Ｂ）は、退避位置に位置する係止部８を示す要部斜視図である。
【図１１】カバー３を開放し、ロールＭを収容部２４に収容した状態の、ロック部材５と係止部８を示す断面図である。
【発明を実施するための形態】
【００１５】
以下、本発明の一実施形態について、図面を参照して説明する。印刷装置１は、ＵＳＢ（登録商標）ケーブルを介して外部端末（図示略）に接続可能である。印刷装置１は、外部端末から受信した印刷データに基づいて、印刷媒体に文字、図形等のキャラクタを印刷できる。印刷媒体は感熱ラベルである。外部端末は汎用のパーソナルコンピュータ（ＰＣ）である。印刷装置１は、電池駆動が可能である。印刷装置１は、例えばベルトクリップ（図示略）を介して腰ベルトに装着されることによって、作業中の使用者に携帯されて使用される。図１の右下側、左上側、右上側、左下側、上側、及び下側を、それぞれ、印刷装置１の右側、左側、後側、前側、上側、及び下側と定義する。
【００１６】
＜本体部２、カバー３＞
図１に示すように、印刷装置１は、本体部２及びカバー３を備える。本体部２は、略直方体の箱状である。図２に示すように、本体部２の内部のうち後側略半分の部分に、収容部２４が設けられる。収容部２４は、本体部２の前後方向略中央を仕切る非図示の仕切り板、本体部２の左右両端部、後端部、及び、下端部によって区画される。収容部２４の上側は、本体部２に形成された開口部２０によって開口する。収容部２４には、ロールＭが収容される。ロールＭは、感熱ラベルが貼付された台紙（以下、「テープ」という。）が筒状の芯に巻回されて構成される。
【００１７】
図３に示すように、本体部２のうち開口部２０の前端部に、切断刃２６Ａが設けられる。切断刃２６Ａは、テープのうち印刷された部分を切り離すことができる。切断刃２６Ａの下側に、サーマルヘッド２６Ｂが設けられる。サーマルヘッド２６Ｂは、加熱により感熱ラベルにキャラクタを印刷する。切断刃２６Ａ及びサーマルヘッド２６Ｂは、それぞれ左右方向に延びる。本体部２のうち開口部２０の左右両端部に係止部２５が設けられる。各係止部２５は、それぞれの下端が揺動可能に支持される。本体部２の右側面に設けられたレバー２３（図１参照）が使用者によって押し下げられた場合、各係止部２５の上端部は後方に揺動する。
【００１８】
図３、図４に示すように、本体部２のうち開口部２０の後端部に、上側に突出する２つの支持部２７が設けられる。左側の支持部２７は、開口部２０の後端部のうち左側の端部近傍から上側に突出し、右側の支持部２７は、開口部２０の後端部のうち右側の端部近傍から上側に突出する。各支持部２７は、左右方向に延びる支持軸２８をそれぞれ支持する。各支持軸２８には、後述する係止部８の２つの基部８０が揺動可能に支持される。支持部２７と基部８０の間の支持軸２８の外周には、バネ３０が装着される。バネ３０は、ねじりコイルバネである。バネ３０は、左右方向において、基部８０寄りの位置に装着される。
【００１９】
図１、図２に示すように、カバー３は、収容部２４の開口部２０を開閉可能である。図２に示すように、カバー３の後端部に４つの突出部３６が設けられる。左側の２つの突出部３６は、左側の支持部２７を左右方向から挟む位置にて支持軸２８により揺動可能に支持される。右側の２つの突出部３６は、右側の支持部２７を左右方向から挟む位置にて揺動可能に支持される。なお、図２においては、右側の突出部３６の１つは、後述する支持部４６の後ろに隠れて見えていない。このように、カバー３は、本体部２の後端部の支持軸２８に対して揺動可能、且つ左右方向には移動不能に支持される。カバー３は、後端部を中心に、閉塞状態（図１参照）と開放状態（図２参照）との間を揺動可能である。図１に示すように、カバー３は、閉塞状態において、開口部２０の下側の収容部２４を上側から覆う。カバー３は、開放状態において、開口部２０の下側の収容部２４を開放する。カバー３は、バネ３０によって、閉塞状態から開放状態に揺動する向きに付勢される。以下では、閉塞状態のカバー３（図１参照）を基準とし、印刷装置１の各方向をカバー３に適用する。
【００２０】
図２に示すように、カバー３の前端部に切断刃２６Ｃが設けられる。カバー３の下面のうち前端部近傍に、プラテンホルダ３３が設けられる。プラテンホルダ３３は、プラテンローラ３１を回転可能に支持する。プラテンローラ３１の回転軸は左右方向に延びる。プラテンローラ３１の回転軸の左右両端部から左右外側に向けて、円筒状の軸受３２がそれぞれ延びる。各係止部２５は、カバー３を閉塞状態とした場合、対応する軸受３２を係止する。この場合、カバー３は閉塞状態で維持される（図１参照）。カバー３が閉塞状態のときにレバー２３（図１参照）が押し下げられた場合、各係止部２５は、対応する軸受３２から外れる。カバー３は、バネ３０の付勢力によって閉塞状態から開放状態（図２参照）まで揺動する。
【００２１】
図１に示すように、カバー３が閉塞状態のとき、切断刃２６Ａ、２６Ｃは互いに近接し、且つ、サーマルヘッド２６Ｂ（図２参照）とプラテンローラ３１（図２参照）とは互いに近接する。プラテンローラ３１は、サーマルヘッド２６Ｂとの間にテープが配置された場合、サーマルヘッド２６Ｂ（図３参照）に向けてテープを押し付ける。プラテンローラ３１は、非図示のモータの駆動により回転することで、サーマルヘッド２６Ｂにテープを押し付けながら搬送する。カバー３が閉塞状態のとき、切断刃２６Ａ、２６Ｃの間には、排出口２６Ｄが形成される。排出口２６Ｄは、印刷装置１の内部で印刷されたテープを外部に排出する。
【００２２】
＜ホルダ１０＞
図３に示すように、収容部２４にホルダ１０が固定される。ホルダ１０は、ロールＭの幅方向が左右方向を向いた状態で、ロールＭを回転可能に保持する。ホルダ１０は、固定部１０Ａ、１０Ｂ、支持部４１、４６（「一対の支持部４」という。）、ロック部材５、６、回転板４３（図２参照）、４８、及び、調節機構７（図５参照）等を有する。
【００２３】
固定部１０Ａ、１０Ｂは、それぞれ、略板状である。固定部１０Ａは、収容部２４の前側の壁部に対応する仕切り板（非図示）に固定される。固定部１０Ａは、仕切り板に沿って延びる。固定部１０Ａの延びる方向は、水平方向に対して傾斜する。固定部１０Ａは、前端部から後端部に向けて、斜め下側に延びる。図４に示すように、固定部１０Ａは、左右方向に延びる溝１０１、１０２を有する。溝１０１、１０２は左右方向に一直線状に並ぶ。溝１０２は、溝１０１の右側に配置される。溝１０１、１０２は、左右方向に離隔する。
【００２４】
固定部１０Ｂは、固定部１０Ａの後端部に接続する。固定部１０Ｂは、本体部２の下端部に沿って水平に延びる。固定部１０Ｂは、係合部５３、５４を有する。係合部５３、５４は、それぞれ、左右方向に配列され且つそれぞれが前後方向に延びる複数の歯を有する。係合部５３、５４は左右方向に一直線状に並ぶ。係合部５３、５４は、左右方向に離隔する。係合部５４は、係合部５３に対して右側に配置される。
【００２５】
＜一対の支持部４＞
図３に示すように、一対の支持部４は、固定部１０Ａの後側、且つ、固定部１０Ｂの上側に配置される。一対の支持部４は左右方向に対向する。図２、図３に示すように、一対の支持部４は、ロールＭの左右方向の両側を支持する。支持部４１は、ロールＭの左側を支持する。支持部４６は、ロールＭの右側を支持する。支持部４６は、支持部４１に対して右側に配置される。図５に示すように、支持部４１、支持部４６は、互いに左右対称である。以下では、支持部４１について詳細に説明し、支持部４６の説明は簡略化する。
【００２６】
図６に示すように、支持部４１は、基部４１Ａ、延伸部４１Ｂ、及び、突出部４１Ｃを有する。基部４１Ａは、左右方向と直交する略板状の部位を有する。延伸部４１Ｂは、基部４１Ａの前端部のうち上下方向略中央よりも下側の部分から、前斜め下側に向けて延びる。延伸部４１Ｂは、後述するロック部材５の一部（第１ロック部材５１の突出部５７Ａ、及び、第２ロック部材５２の基部５８）が挿通する孔４１１、４１２を有する。孔４１１の開口部は、延伸部４１Ｂの下端部に形成される。孔４１１は、延伸部４１Ｂの下端部から前斜め上側に延びる。孔４１２の開口部は、延伸部４１Ｂの右端部に形成される。孔４１２は、延伸部４１Ｂの右端部から左側に延びる。孔４１２は、延伸部４１Ｂの内部で孔４１１に接続する。
【００２７】
突出部４１Ｃは、延伸部４１Ｂの前斜め下側の端部から、前斜め下側に向けて突出する。突出部４１Ｃは、固定部１０Ａ（図４参照）に設けられた溝１０１（図４参照）に後側から挿通し、固定部１０Ａよりも前側に突出する。
【００２８】
図５に示すように、支持部４６は、基部４６Ａ、延伸部４６Ｂ、及び、突出部４６Ｃを有する。基部４６Ａ、延伸部４６Ｂ、及び、突出部４６Ｃは、それぞれ、支持部４１の基部４１Ａ、延伸部４１Ｂ、及び、突出部４１Ｃに対応する。突出部４６Ｃは、固定部１０Ａ（図４参照）に設けられた溝１０２（図４参照）に後側から挿通し、固定部１０Ａよりも前側に突出する。
【００２９】
＜調節機構７＞
図５に示すように、調節機構７は、一対の支持部４を連動して左右方向に移動させる。調節機構７は、固定部１０Ａ（図４参照）の前側に配置される。調節機構７は、ラックギア７１、７２、ピニオンギア７３、支持板７４、第１付勢部７５を有する。
【００３０】
ラックギア７１、７２は、上下方向に対向する。ラックギア７２は、ラックギア７１の上側に配置される。ラックギア７１、７２は、それぞれ左右方向に延びる。ラックギア７１の上端部及びラックギア７２の下端部に、歯が形成される。ラックギア７１の左端部は、支持部４１の突出部４１Ｃに接続する。ラックギア７２の右端部は、支持部４６の突出部４６Ｃに接続する。
【００３１】
ラックギア７１、７２の間にピニオンギア７３が設けられる。ピニオンギア７３は、固定部１０Ａ（図４参照）の前側のうち溝１０１、１０２の間の部分に、回転可能に支持される。ピニオンギア７３の歯は、ラックギア７１、７２の歯に噛合する。ラックギア７１、７２は、それぞれ、ピニオンギア７３の回転に伴って左右方向に移動する。これに伴い、支持部４１、４６は、溝１０１、１０２（図４参照）に沿って左右方向に移動する。例えば、支持部４１が左側に所定量移動すると、ラックギア７１、ピニオンギア７３、及び、ラックギア７２を介して、支持部４１の移動に連動して支持部４６が右側に所定量移動する。つまり、ラックギア７１、７２、及び、ピニオンギア７３は、一対の支持部４を、互いに離隔する側（左右方向外側、以下「離隔側」という。）に移動させる。一方、支持部４１が右側に所定量移動すると、ラックギア７１、ピニオンギア７３、及び、ラックギア７２を介して、支持部４１の移動に連動して支持部４６が左側に所定量移動する。つまり、ラックギア７１、７２、及び、ピニオンギア７３は、一対の支持部４を、互いに接近する側（左右内側、以下、「近接側」という。）に移動させる。
【００３２】
ピニオンギア７３の前側に支持板７４が固定される。支持板７４は、左側に向けて延びる延伸部７４０が設けられる。延伸部７４０とラックギア７２との間に亘って、第１付勢部７５が設けられる。第１付勢部７５は引張バネである。第１付勢部７５は、支持部４１、４６に対し、近接側に向かう付勢力を付与する。
【００３３】
＜ロック部材５、６＞
図５に示すように、ロック部材５は支持部４１に設けられ、ロック部材６は支持部４６に設けられる。ロック部材５、６は、互いに左右対称である。以下では、ロック部材５について詳細に説明し、ロック部材６の説明は簡略化する。
【００３４】
図６に示すように、ロック部材５は、第１ロック部材５１及び第２ロック部材５２を有する。第１ロック部材５１は板状である。第１ロック部材５１は、基部５５、当接部５６、及び、連結部５７を有する。基部５５は略円形である。基部５５の中心に孔５５Ａが形成される。孔５５Ａには螺子４４が挿通される。当接部５６は、基部５５の前端部の近傍のうち上下方向略中央よりも上側の部分から、上側に向けて延びる。連結部５７は、基部５５の上下方向略中央よりも下側の部分から、斜め下側に向けて延びる。連結部５７は、左側に向けて突出する突出部５７Ａを先端部に有する。突出部５７Ａの形状は、略円柱状である。第２ロック部材５２は、基部５８及び被係合部５９を有する。基部５８は略棒状である。基部５８は、上端部から下端部に向かうに従って後側に傾斜する向きに延びる。基部５８は、上端部近傍に孔５８Ａを有する。孔５８Ａは、基部５８を左右方向に貫通する。被係合部５９は、基部５８の下端部に設けられる。被係合部５９は、下端部に歯５９Ａを有する。
【００３５】
図５に示すように、ロック部材６は、第１ロック部材６１及び第２ロック部材６２を有する。第１ロック部材６１及び第２ロック部材６２は、ロック部材５の第１ロック部材５１及び第２ロック部材５２に対応する。第１ロック部材６１の基部６５、当接部６６、及び、連結部６７（図３参照）は、第１ロック部材５１の基部５５、当接部５６、及び、連結部５７に対応する。第２ロック部材６２の基部６８（図３参照）及び被係合部６９は、第１ロック部材５１の基部５８及び被係合部５９に対応する。
【００３６】
＜回転板４３、４８＞
図６に示すように、回転板４３は円形板状である。回転板４３の平面は、左右方向と直交する。回転板４３は、第１ロック部材５１の基部５５に対して右側に配置される。回転板４３は、支持部４１の基部４１Ａとの間に第１ロック部材５１の基部５５を挟む。回転板４３の中心に孔４３Ａが形成される。孔４３Ａには螺子４４が挿通される。図２に示すように、回転板４３はロールＭの左端部に当接し、ロールＭを回転可能に保持する。
【００３７】
図３に示すように、回転板４８は円形板状である。回転板４８の平面は、左右方向と直交する。図５に示すように、回転板４８は、第１ロック部材６１の基部６５に対して左側に配置される。回転板４８は、支持部４６の基部４６Ａとの間に第１ロック部材６１の基部６５を挟む。回転板４８の中心に孔が形成される。図３に示すように、該孔には螺子４９が挿通される。回転板４８は、ロールＭの右端部に当接し、ロールＭを回転可能に保持する。
【００３８】
＜組み付け方法＞
支持部４１、ロック部材５（第１ロック部材５１及び第２ロック部材５２）、及び、回転板４３の組み付け方法について説明する。なお、支持部４６、ロック部材６（第１ロック部材６１及び第２ロック部材６２）、及び、回転板４８の組み付け方法は、支持部４１、ロック部材５、及び、回転板４３の組み付け方法と同一であるため、説明を省略する。
【００３９】
図６に示すように、はじめに、支持部４１の延伸部４１Ｂに設けられた孔４１１に対して、第２ロック部材５２の基部５８が下側から挿入される。孔４１１の延びる方向と、第２ロック部材５２の基部５８の延びる方向とは一致する。第２ロック部材５２は、支持部４１に対して、孔４１１に沿った方向に移動可能に支持される。支持部４１の基部４１Ａの右側面に、第１ロック部材５１の基部５５が近接して配置される。このとき、支持部４１の基部４１Ａと第１ロック部材５１の基部５５との間に、バネ４１Ｄが挟まれる。バネ４１Ｄは、圧縮コイルバネである。
【００４０】
支持部４１の延伸部４１Ｂに設けられた孔４１２に対して、第１ロック部材５１の連結部５７の突出部５７Ａが右側から挿入される。同時に、連結部５７の突出部５７Ａは、支持部４１の延伸部４１Ｂの内部で、第２ロック部材５２の基部５８の孔５８Ａに右側から挿入される。これによって、第１ロック部材５１の連結部５７は第２ロック部材５２に連結される（図７参照）。
【００４１】
次に、第１ロック部材５１の基部５５の右側面に、回転板４３が近接して配置される。第１ロック部材５１の基部５５は、支持部４１の基部４１Ａと回転板４３とによって、左右両側から挟まれる。
【００４２】
次に、回転板４３の中心の孔４３Ａに、螺子４４が右側から挿通される。螺子４４は、第１ロック部材５１の基部５５の孔５５Ａを通過し、支持部４１の基部４１Ａに螺合される。第１ロック部材５１及び回転板４３は、螺子４４を中心として、支持部４１の右側面に揺動又は回転可能に支持される。即ち、第１ロック部材５１と回転板４３は、それぞれが独立して揺動又は回転可能に支持部４１に支持される。第１ロック部材５１の揺動に応じて、連結部５７も揺動する。この場合、連結部５７を介して連結した状態の第２ロック部材５２は、第１ロック部材５１の揺動に連動して移動する。バネ４１Ｄは、第１ロック部材５１を、右側から見た状態（図７の状態）で時計回り方向に揺動する向きに付勢する。以下、特段限定のない限り、回転方向（時計回り方向、又は、反時計回り方向）は、右側から見た状態の方向を示す。
【００４３】
＜係止部８＞
図２、図４に示すように、係止部８は、収容部２４の内部のうち、一対の支持部４よりも後側、且つ、固定部１０Ｂの上側に設けられる。図５、図８に示すように、係止部８は、２つの基部８０、第１揺動部８１、第２揺動部８２、突起部８３、及び、第２付勢部８４を有する。係止部８は、合成樹脂により一体的に形成される。２つの基部８０は、それぞれ左右方向に延びる貫通孔８０Ａが形成された円筒形状をなす。各基部８０の貫通孔８０Ａの中心線は、左右方向に延びて同一直線上にある。２つの基部８０は、左右方向の略中央に位置する第２揺動部８２を挟んで左右方向に離隔する。
【００４４】
第１揺動部８１及び第２揺動部８２は、湾曲した板状を有する。具体的には、図７に示すように、第１揺動部８１及び第２揺動部８２は、右側から見た場合において、略円弧状に湾曲した形状である。カバー３が閉塞状態（図１０（Ａ）参照）のとき、第１揺動部８１及び第２揺動部８２に沿って延びる円弧の中心位置と、一対の支持部４に支持される回転板４３、４８（図３参照）の中心位置とは、右側から見た場合において略一致する。これより、第１揺動部８１及び第２揺動部８２に沿って延びる円弧の中心位置と、一対の支持部４に支持されるロールＭの回転中心の位置とは、略一致する。
【００４５】
図８に示すように、第１揺動部８１は、左右方向に長い矩形状を有する。第１揺動部８１の上端部に２つの基部８０が接続される。第１揺動部８１は、２つの基部８０が接続される上端部から、湾曲しながら下方に延びる。第１揺動部８１の左右方向の長さは、収容部２４に収容可能な最大幅のロールＭの幅よりも少し長い。第１揺動部８１は、左右方向の中央に矩形状の孔８１Ｃを有する。
【００４６】
図８に示すように、第１揺動部８１のうち２つの基部８０が接続される側の端部（「第３端部８１Ｂ」という。）とは反対側の端部（「第１端部８１Ａ」という。）に、略鋸歯状の複数の爪部８６０〜８６３、８７０〜８７３が設けられる。複数の爪部８６０〜８６３を総称して爪部８６とし、複数の爪部８７０〜８７３を総称して爪部８７とする。爪部８６は、第１端部８１Ａの略中央よりも左側に設けられ、爪部８７は、第１端部８１Ａの略中央よりも右側に設けられる。即ち、複数の爪部８６０〜８６３は、第１端部８１Ａの略中央から左側に向けて並設され、複数の爪部８７０〜８７３は、第１端部８１Ａの略中央から右側に向けて並設される。
【００４７】
複数の爪部８６１〜８６３は、それぞれ、凸状の頂点８６Ｃから延びる第１延伸部８６Ａ及び第２延伸部８６Ｂを有する。第１延伸部８６Ａは、頂点８６Ｃから、右方向に対して後側に傾斜する向き、言い換えれば、第１揺動部８１のうち２つの基部８０が接続される側の第３端部８１Ｂに向けて傾斜して延びる。第２延伸部８６Ｂは、頂点８６Ｃから後側、言い換えれば、第１揺動部８１のうち２つの基部８０が接続される側の第３端部８１Ｂに向けて、左右方向と直交する方向に延びる。複数の爪部８６１〜８６３は、それぞれ略山形状をなす。爪部８６０は、爪部８６１よりも右側に設けられる。爪部８６０の頂点８６Ｃから左右方向と直交する方向に向けて、第２延伸部８６Ｂが延びる。複数の爪部８６０〜８６３のそれぞれの頂点８６Ｃは、左右方向に等間隔に並ぶ。
【００４８】
爪部８７の形状は、爪部８６に対して左右対称となる。複数の爪部８７１〜８７３は、凸状の頂点８７Ｃから延びる第１延伸部８７Ａ及び第２延伸部８７Ｂを有する。第１延伸部８７Ａは、頂点８７Ｃから、左方向に対して後側に傾斜する向き、言い換えれば、第１揺動部８１のうち２つの基部８０が接続される側の第３端部８１Ｂに向けて傾斜して延びる。第２延伸部８７Ｂは、頂点８６Ｃから後側、言い換えれば、第１揺動部８１のうち２つの基部８０が接続される側の第３端部８１Ｂに向けて、左右方向と直交する方向に延びる。複数の爪部８７１〜８７３は、それぞれ略山形状をなす。爪部８７０は、爪部８７１よりも左側に設けられる。爪部８７０の頂点８７Ｃから左右方向と直交する方向に向けて、第２延伸部８７Ｂが延びる。複数の爪部８７０〜８７３のそれぞれの頂点８７Ｃは、左右方向に等間隔に並ぶ。爪部８６３の第２延伸部８６Ｂは、係止部８の第１揺動部８１の左端部に対応し、爪部８７３の第２延伸部８７Ｂは、係止部８の第１揺動部８１の右端部に対応する。
【００４９】
以下、爪部８６０の頂点８６Ｃと爪部８７０の頂点８７Ｃとの間、爪部８６１の頂点８６Ｃと爪部８７１の頂点８７Ｃとの間、爪部８６２の頂点８６Ｃと爪部８７２の頂点８７Ｃとの間、爪部８６３の頂点８６Ｃと爪部８７３の頂点８７Ｃとの間のそれぞれの間隔を、Ｌ０、Ｌ１、Ｌ２、Ｌ３と表記する。
【００５０】
突起部８３は、第１揺動部８１のうち、爪部８６、８７に対して第３端部８１Ｂ側に設けられる。突起部８３は、第１揺動部８１の上側の面から突出する。突起部８３は、第１揺動部８１の左右両端部に亘って直線状に延びる。
【００５１】
第１揺動部８１の孔８１Ｃのうち第３端部８１Ｂ側の部分から下方に向けて、第２付勢部８４が湾曲しながら延びる。第２付勢部８４は、上下方向に長い矩形状を有する。第２付勢部８４の上端は、孔８１Ｃの上端に接続する。第２付勢部８４を右側から見たときの形状は、下方ほど第１揺動部８１よりも後方に突出する略円弧状である（図５、図７参照）。第２付勢部８４の下方は、弾性変形可能である。言い換えれば、第２付勢部８４は、係止部８と一体的に形成された板バネとして機能する。
【００５２】
第２揺動部８２は、左右方向に長矩形状を有する。第２揺動部８２は、第１揺動部８１の第３端部８１Ｂのうち、２つの基部８０が接続される部分の間に挟まれた部分から上方に延びる。第２揺動部８２のうち、第１揺動部８１と接続する側と反対側の端部、言い換えれば、２つの基部８０が接続される第３端部８１Ｂと反対側の端部を、「第２端部８２Ａ」という。第２揺動部８２は、第２端部８２Ａ近傍で前方に僅かに曲折する。以下、第２端部８２Ａのうち曲折部分から第２端部８２Ａまでの間の部分を、「押圧部８８」という。
【００５３】
図２、図４に示すように、係止部８の２つの基部８０のそれぞれの貫通孔８０Ａに、支持軸２８が挿通される。係止部８は、２つの支持軸２８により、２つの基部８０を中心として本体部２に揺動可能に支持される。又、図７に示すように、係止部８の第２付勢部８４の下端は、本体部２の後端部の内面に接触して弾性変形する。これにより、第２付勢部８４は、板バネとして機能し、２つの基部８０を中心として係止部８が時計回り方向に揺動する向きに付勢する。
【００５４】
＜カバーの開閉動作＞
図９は、カバー３を開放状態とした場合の係止部８及びロック部材５の状態を示す。この場合、図９（Ａ）に示すように、カバー３は、第１ロック部材５１の当接部５６に当接しない。第１ロック部材５１は、バネ４１Ｄの付勢力によって時計回り方向に揺動する。この揺動に応じ、第１ロック部材５１の連結部５７は前斜め上側に移動する。連結部５７に連結する第２ロック部材５２も、第１ロック部材５１の揺動に連動して前斜め上側に移動する。第２ロック部材５２の被係合部５９は、固定部１０Ｂの係合部５３に対して上側に離間する。被係合部５９の歯５９Ａ（図６参照）は、係合部５３の歯（図３参照）に係合しない。このため、支持部４１の左右方向の移動は規制されず、左右方向に自由に移動可能な状態となる。なお、説明は省略するが、ロック部材６についても同様である。以下、支持部４１、４６の移動がロック部材５、６によって規制されない状態における、ロック部材５、６の揺動位置を、「アンロック位置」という。
【００５５】
又、図９（Ａ）に示すように、カバー３は、係止部８の第２揺動部８２のうち押圧部８８に当接しない。係止部８は、２つの基部８０を揺動中心として揺動可能な状態となる。係止部８は、第２付勢部８４の付勢力に応じて時計回り方向に揺動し、第１揺動部８１の第１端部８１Ａ（図８参照）は前方に移動する。このため、図９（Ｂ）に示すように、第１揺動部８１の爪部８６、８７は、一対の支持部４に近接する。爪部８６の何れかの第２延伸部８６Ｂ（図８参照）は、支持部４１の基部４１Ａの後端部の右側面に当接し、支持部４１を係止する。爪部８７の何れかの第２延伸部８７Ｂ（図８参照）は、支持部４６の基部４６Ａの後端部の左側面に当接し、支持部４６を係止する。以下、係止部８が一対の支持部４を係止した状態における係止部８の揺動位置を、「係止位置」という。
【００５６】
つまり、カバー３が開放状態では、ロック部材５、６がアンロック位置に位置しているので、支持部４１、４６は、調節機構７の第１付勢部７５（図５参照）の付勢力によってそれぞれ近接側に移動しようとする。しかし、係止部８が係止位置に位置するため、支持部４１、４６の近接側への移動は規制される。
【００５７】
図１０は、カバー３を閉塞状態とした場合の係止部８及びロック部材５の状態を示す。この場合、図１０（Ａ）に示すように、第１ロック部材５１の当接部５６に、カバー３のうちプラテンホルダ３３の近傍が当接する。第１ロック部材５１は、バネ４１Ｄの付勢力に抗して反時計回り方向に揺動する。第１ロック部材５１の連結部５７は後斜め下側に移動する。この揺動に応じ、連結部５７に連結する第２ロック部材５２も後斜め下側に移動する。第２ロック部材５２の被係合部５９の歯５９Ａ（図６参照）は、係合部５３の歯（図３参照）に係合する。このため、支持部４１、４６の左右方向への移動は、ロック部材５によって規制される。なお、説明は省略するが、支持部４６及びロック部材６についても同様である。以下、支持部４１、４６の移動がロック部材５、６によって規制された状態における、ロック部材５、６の揺動位置を、「ロック位置」という。
【００５８】
又、図１０（Ａ）に示すように、カバー３が、係止部８の第２揺動部８２のうち押圧部８８に当接する。係止部８は、２つの基部８０（図８参照）を揺動中心として、第２付勢部８４の付勢力に抗して反時計回りに揺動する。第１揺動部８１の第１端部８１Ａ（図８参照）は後方に移動する。図１０（Ｂ）に示すように、第１揺動部８１の爪部８６、８７は、一対の支持部４から離隔する。以下、係止部８が一対の支持部４から離隔した状態における係止部８の揺動位置を、「退避位置」という。退避位置に位置する係止部８は、調節機構７の第１付勢部７５の付勢力による支持部４１、４６の近接側への移動を規制しない。
【００５９】
つまり、カバー３が閉塞状態のときには、係止部８が退避位置に位置することにより、支持部４１、４６は、調節機構７の第１付勢部７５（図５参照）の付勢力によって近接側に移動しようとする。しかし、ロック部材５、６がロック位置に位置することにより、支持部４１、４６の近接側への移動は規制される。
【００６０】
カバー３が開放状態（図９参照）から閉塞状態（図１０参照）まで揺動する過程で、はじめに、係止部８の第２揺動部８２のうち押圧部８８にカバー３が当接し、係止部８は係止位置から退避位置に移動する。これにより、係止部８による支持部４１、４６の左右方向への移動の規制は解除される。ここで、ロック部材５、６はアンロック位置に位置しているので、支持部４１、４６は、調節機構７の第１付勢部７５の付勢力に応じて近接側に移動する。更にカバー３が揺動することに応じ、第１ロック部材５１の当接部５６、及び、第１ロック部材６１の当接部６６にカバー３が当接する。よって、ロック部材５、６はアンロック位置からロック位置に移動する。これにより、支持部４１、４６の近接側への移動は、ロック部材５によって規制される。つまり、カバー３が開放状態（図９参照）から閉塞状態（図１０参照）に移行する場合において、係止部８が先に係止位置から退避位置に移動し、次に、ロック部材５、６がアンロック位置からロック位置に移動する。なお、カバー３が閉塞状態（図１０参照）になる直前の状態における各部材の位置関係を、図７に示している。
【００６１】
＜使用態様＞
使用者は、印刷装置１の収容部２４にロールＭを収容するために、カバー３を開放状態とする。カバー３の開放状態で、ロック部材５、６はアンロック位置に位置し、係止部８は係止位置に位置する。このとき、収容部２４にはロールＭが収容されていないので、係止部８の爪部８６、８７のうち最も内側の爪部８６０、８７０の第２延伸部８６Ｂ、８７Ｂに支持部４１、４６が接触し、一対の支持部４は係止される。よって、一対の支持部４の間隔は、Ｌ０で維持される。
【００６２】
次に、使用者は一対の支持部４を操作し、支持部４１、４６をそれぞれ離隔側に移動させる。これにより、爪部８６１の第１延伸部８６Ａに支持部４１の基部４１Ａの後端部が接触しながら左側に移動し、爪部８７１の第１延伸部８７Ａに支持部４６の基部４６Ａの後端部が接触しながら右側に移動する。このとき、係止部８に対して反時計回り方向の力が作用するので、係止部８は、第２付勢部８４の付勢力に抗して反時計回り方向に揺動する。そして、爪部８６１の第１延伸部８６Ａの左端部まで支持部４１の基部４１Ａが移動し、爪部８７１の第１延伸部８７Ａの右端部まで支持部４６の基部４６Ａが移動したとき、係止部８に対する反時計回り方向の力が解除される。係止部８は、第２付勢部８４の付勢力に応じて時計回り方向に揺動し、元の係止位置に戻る。これにより、係止部８の爪部８６１、８７１の第２延伸部８６Ｂ、８７Ｂに支持部４１、４６が接触し、一対の支持部４は係止される。一対の支持部４の間隔は、Ｌ１で維持される。使用者は、同様の方法で一対の支持部４の間隔をＬ１、Ｌ２、Ｌ３に切り替えることによって、一対の支持部４の間隔をロールＭの幅（ｍと表記する。）よりも大きくする。
【００６３】
なお、使用者は、次のようにして一対の支持部４の間隔を調節してもよい。使用者は、係止部８の第２揺動部８２の押圧部８８を指で押圧し、係止部８を退避位置に強制的に移動させる。これにより、支持部４１、４６は左右方向に移動可能となる。なお、ロック部材５，６はアンロック状態であるため、一対の支持部４は、第１付勢部７５の付勢力に応じて近接側に移動しようとする。次に使用者は、一対の支持部４の間隔が、ロールＭの幅ｍよりも大きいＬ１〜Ｌ３の何れかとなるように、支持部４１、４６をそれぞれ離隔側に移動させる。その後、使用者は、係止部８の第２揺動部８２の押圧部８８に対する押圧を解除する。一対の支持部４は、係止部８の複数の爪部８６１〜８６３、８７１〜８７３の何れかの第２延伸部８６Ｂ、８７Ｂに接触して係止される。これによって、一対の支持部４の間隔は、ロールＭの幅ｍよりも大きいＬ１〜Ｌ３の何れかの状態で維持される。
【００６４】
なお、上記において、使用者は、ロールＭの幅ｍに依らず、係止部８の爪部８６、８７のうち最も外側の爪部８６３、８７３の第２延伸部８６Ｂ、８７Ｂに支持部４１、４６が接触して一対の支持部４が係止されるように操作してもよい。これによって、一対の支持部４の間隔はＬ３の状態で維持され、印刷装置１にて使用可能な全てのロールＭを収容可能な状態になる。
【００６５】
この状態で使用者は、一対の支持部４の間にロールＭを配置させ、その後、カバー３を閉塞させる。カバー３が開放状態から閉塞状態に移行する過程で、はじめに係止部８が係止位置から退避位置に移動する。ロック部材５，６はアンロック状態であるため、一対の支持部４は、調節機構７の第１付勢部７５の付勢力に応じて近接側に移動する。ロールＭの左右両端部に回転板４３、４８が接触し、一対の支持部４の近接側への移動は停止する。
【００６６】
更にカバー３が閉塞されることにより、ロック部材５、６がアンロック位置からロック位置に移動する。一対の支持部４の近接側への移動は、ロールＭの左右両側に回転板４３、４８が接触した状態で、ロック部材５、６によって規制される。ロールＭは、回転板４３、４８によって左右両側から回転可能に支持される。これによって、カバー３が閉塞状態となった後、ロールＭに巻回された感熱ラベルに対する印刷が可能となる。
【００６７】
なお、図１１に示すように、外径の大きさが所定以上のロールＭが一対の支持部４の間に配置された場合、係止部８の突起部８３は、ロールＭの外周面によって押圧される。係止部８は、反時計回り方向の力をロールＭから受ける。係止部８は、第２付勢部８４の付勢力に抗して反時計回りに揺動し、係止位置から退避位置に移動する。第１揺動部８１の爪部８６、８７は、一対の支持部４から離隔する。一対の支持部４は、調節機構７の第１付勢部７５の付勢力によって近接側に移動する。つまり、外径の大きさが所定以上のロールＭが一対の支持部４の間に配置された場合、カバー３が閉塞する前に、ロールＭの左右両側に回転板４３、４８が接触した状態となる。このため、使用者は、カバー３を開放状態とした場合でもロールＭの位置を安定化できる。ここで、外径の大きさが所定以上のロールＭとは、例えば、新品のロールＭのことである。
【００６８】
なお、例えば使用者は、外径の大きさが所定未満のロールＭが装着された場合でも、係止部８の第２揺動部８２の押圧部８８を指で押圧することによって、係止部８を退避位置に強制的に移動させてもよい。この場合、第１揺動部８１の爪部８６、８７は、一対の支持部４から離隔し、一対の支持部４は、調節機構７の第１付勢部７５の付勢力によって近接側に移動する。つまり、外径の大きさが所定未満のロールＭが一対の支持部４の間に配置された場合でも、カバー３が閉塞する前に、ロールＭの左右両側に回転板４３、４８が接触した状態とすることができる。ここで、外径の大きさが所定未満のロールＭとは、例えば、途中まで使用したロールＭのことである。
【００６９】
＜本実施形態の主たる作用、効果＞
以上のように、印刷装置１の係止部８の位置は、カバー３の開閉に応じて係止位置（図９参照）と退避位置（図１０参照）とに切り替わる。カバー３が開放した状態の時（図９参照）、係止部８は係止位置に位置し、一対の支持部４がそれぞれ近接側に移動することを規制する。つまり、一対の支持部４は、所定の間隔（Ｌ１〜Ｌ３の何れか）を空けた状態で保持される。このため使用者は、一対の支持部４が近接側に移動しないように保持する操作を要することなく、所定の間隔が空いた状態の一対の支持部４にロールＭを容易に装着できる。この場合、使用者は、ロールＭを装着する操作を、片手で容易に実行できる。
【００７０】
一方、カバー３が閉塞した状態の時（図１０参照）、係止部８の押圧部８８にカバー３が当接することにより、係止部８は退避位置に移動する。このとき、一対の支持部４の左右方向の移動は、係止部８によって規制されない。従って、印刷装置１は、一対の支持部４が近接側に移動することによって、収容部２４に収容されたロールＭを左右方向の両側から挟み確実に保持できる。このため、印刷装置１は、ロールＭから繰り出されるテープの斜行を防止できる。
【００７１】
印刷装置１は、カバー３が開放状態から閉塞状態に移行する過程で、はじめに、係止部８が退避位置に移動し、一対の支持部４の左右方向の移動を可能とする。これによって、一対の支持部４は、調節機構７の第１付勢部７５の付勢力に応じて近接側に移動する。これにより、一対の支持部４は互いに近づき、収容部２４に収容されたロールＭの左右方向の両側近傍に配置される。次に、ロック部材５，６が一対の支持部４の左右方向の移動を規制する。これにより、ロールＭの左右方向の両側近傍に配置された一対の支持部４は、ロック部材５、６により移動不能に保持される。従って、印刷装置１は、ロールＭの左右方向の両側近傍に一対の支持部４を配置させる動作と、この状態で一対の支持部４の移動を規制する動作とを、使用者によるカバー３の閉塞操作に連動して順番に実行できる。
【００７２】
印刷装置１は、カバー３が開放状態であり係止部８が係止位置に位置する時、係止部８の爪部８６、８７の何れかに一対の支持部４を当接させることによって、一対の支持部４の近接側への移動を規制できる。従って使用者は、一対の支持部４の間にロールＭを容易に装着できる。又、印刷装置１は、カバー３が開放状態から閉塞状態に移行する時、係止部８の押圧部８８はカバー３によって押圧され、係止部８は係止位置から退避位置に移動する。この場合、一対の支持部４は近接側に移動可能となる。このように、印刷装置１は、カバー３の閉塞操作に連動して一対の支持部４を近接側に移動可能な状態とする機構を、係止部８の押圧部８８により実現できる。
【００７３】
爪部８６、８７は略鋸歯形状を有する。各爪部８６、８７は、凸状の頂点８６Ｃ、８７Ｃから延びる第１延伸部８６Ａ、８７Ａ、及び、第２延伸部８６Ｂ、８７Ｂを含む略山形状を有する。第１延伸部８６Ａ、８７Ａは、頂点８６Ｃ、８７Ｃから、近接側に対して基部８０側に傾斜した方向に延びる。このため、使用者は、カバー３が開放した状態の時、係止部８の第１延伸部８６Ａ、８７Ａに一対の支持部４を接触させながら、一対の支持部４を離隔側に容易に移動させることができる。又、第２延伸部８６Ｂ、８７Ｂは、頂点８６Ｃ、８７Ｃから基部８０側に向けて、左右方向と直交する後方向に延びる。このため、係止部８は、爪部８６、８７の第２延伸部８６Ｂ、８７Ｂに一対の支持部４を接触させることによって、一対の支持部４が近接側に移動することを適切に規制できる。
【００７４】
第２付勢部８４は、弾性変形可能な板バネであり、係止部８に一体的に形成される。この場合、第２付勢部８４の構成を簡単にできるので、係止部８の製造コストを抑制できる。
【００７５】
係止部８は、第１揺動部８１に突起部８３を有する。突起部８３は、収容部２４に収容されたロールＭの外周面で押圧されることにより、係止部８を反時計回り方向に回転させ、係止位置から退避位置に移動させる。この場合、ロールＭが収容部２４に収容された状態で、一対の支持部４は、調節機構７の第１付勢部７５の付勢力によって近接側に移動可能となる。このため、印刷装置１は、カバー３が開放状態のときにロールＭが収容された場合、一対の支持部４を近接側に移動させ、一対の支持部４によってロールＭを左右方向の両側から挟み保持できる。なお、印刷装置１では、第１揺動部８１に沿って延びる円弧の中心位置と、一対の支持部４に支持されるロールＭの回転中心の位置とが略一致する。このため、ロールＭが押圧する力を、突起部８３を介して係止部８に効率的に伝達できる。
【００７６】
カバー３及び係止部８は、共通の支持軸２８に揺動可能に支持される。これによってカバー３は、本体部２に対して揺動し、収容部２４の開口部２０を開閉可能とする。又、係止部８は、本体部２に対して揺動し、係止位置と退避位置との間を移動する。このように、印刷装置１は、カバー３を揺動可能に支持する支持軸２８と、係止部８を揺動可能に支持する支持軸２８を共通化できる。従って、印刷装置１の構成部品を低減できると共に、印刷装置１の組み付け作業を容易化できる。更に、印刷装置１は、それぞれの揺動軸を支持軸２８で共通化することによって、カバー３の閉塞操作に応じた力を係止部８に効率的に伝達できる。
【００７７】
更に、印刷装置１では、係止部８を湾曲させ、第１揺動部８１及び第２揺動部８２に沿って延びる円弧の中心位置と、一対の支持部４に支持されるロールＭの回転中心の位置とを略一致させている。この場合、一対の支持部４を係止可能な構造を、収容部２４に周可能な範囲で最大限大きくできる。
【００７８】
＜変形例＞
本発明は上記実施形態に限定されず、種々の変更が可能である。一対の支持部４は、何れか一方が左右方向に移動可能であってもよい。例えば、支持部４１のみ左右方向に移動可能とし、支持部４６は収容部２４に固定されていてもよい。この場合、一対の支持部４のうち移動可能な支持部４１にのみロック部材５が設けられ、支持部４６にロック部材６は設けられていなくてもよい。係合部５３、５４は、本体部２の内壁に設けられていてもよい。第１ロック部材５１、６１は、例えばリンク機構を介してカバー３に連結されていてもよい。リンク機構は、開放した状態から閉塞した状態までカバー３が移動することに応じ、第１ロック部材５１、６１を揺動させてもよい。この場合、第１ロック部材５１、６１に当接部５６、６６は設けられていなくてもよい。
【００７９】
カバー３が開放状態から閉塞状態に移行する場合において、係止部８が係止位置から退避位置に移動して一対の支持部４を近接側に移動可能とするタイミングと、ロック部材５、６が一対の支持部４の移動を規制するタイミングとを略同一としてもよい。
【００８０】
係止部８は、本体部２に対してスライド移動可能に設けられてもよい。この場合、係止部８は、退避位置から係止位置に向かう方向に付勢されており、カバー３が押圧部８８に当接すると、係止部８が付勢力に抗してスライドし、係止位置から退避位置に移動する。また、複数の爪部８６０〜８６３、８７０〜８７３のそれぞれの間隔は等間隔に限定されず、異なる間隔であってもよい。例えば、複数の爪部８６０〜８６３、８７０〜８７３のそれぞれの間隔を、離隔側に向かう程大きくしたり、離隔側に向かう程小さくしたりしてもよい。複数の爪部８６０〜８６３、８７０〜８７３の形状は、略山形状に限定されず、凹凸を有するその他適当な形状であってもよい。
【００８１】
第２付勢部８４は、係止部８に一体的に形成されていなくてもよい。例えば、第２付勢部８４として別体の板バネを採用し、これを係止部８又は本体部２の後端部に取り付けた構成であってもよい。別体の板バネの材質は、合成樹脂製であってもよいし、金属製であってもよい。また、第２付勢部８４は、ねじりコイルバネであってもよい。この場合は、このねじりコイルバネを支持軸２８に装着すればよい。また、係止部８に突起部８３は設けられなくてもよい。また、カバー３を支持する支持軸と、係止部８を揺動可能に支持する支持軸は、別々の軸であってもよい。
【００８２】
＜その他＞
支持部４１、４６は、本発明の「移動支持部」の一例である。左右方向は、本発明の「幅方向」の一例である。上下方向は、本発明の「交差方向」の一例である。
【符号の説明】
【００８３】
１        ：印刷装置
２        ：本体部
３        ：カバー
４        ：一対の支持部
５、６        ：ロック部材
７        ：調節機構
８        ：係止部
２８      ：支持軸
７５      ：第１付勢部
８０      ：基部
８１      ：第１揺動部
８１Ａ    ：第１端部
８２      ：第２揺動部
８２Ａ    ：第２端部
８３      ：突起部
８４      ：第２付勢部
８６、８７      ：爪部
８６Ａ、８７Ａ    ：第１延伸部
８６Ｂ、８７Ｂ    ：第２延伸部
８６Ｃ、８７Ｃ    ：頂点
８８      ：押圧部
８０９    ：基部
Ｍ        ：ロール
【図１】
2019026416.tif 000003
【図２】
2019026416.tif 000004
【図３】
2019026416.tif 000005
【図４】
2019026416.tif 000006
【図５】
2019026416.tif 000007
【図６】
2019026416.tif 000008
【図７】
2019026416.tif 000009
【図８】
2019026416.tif 000010
【図９】
2019026416.tif 000011
【図１０】
2019026416.tif 000012
【図１１】
2019026416.tif 000013